(57)【要約】【課題】本発明は、組み換え作業を容易にする新規なハンドルノブ、及びこのハンドルノブが取り付けられてなる魚釣り用リールを提供することを目的とする。【解決手段】  軸受部１１の表面に雄ネジ部１１０を設けると共に、前記軸受部１１に外嵌されるハンドルノブ本体１２の内面に雌ネジ部１２０を設け、魚釣り用リールのハンドル３に存するノブシャフト３１にビス止めされた前記軸受部１１の前記雄ネジ部１１０に前記ハンドルノブ本体１２の前記雌ネジ部１２０を螺合させることによって取り付けられるハンドルノブ１０。【選択図】図１
2017195850.tif 000002
【特許請求の範囲】
【請求項１】
魚釣り用リールのハンドルに取り付けられるハンドルノブであって、
前記ハンドルに存するノブシャフトに外嵌させた状態で、前記ノブシャフトの軸芯を中心として回転可能となるように、前記ノブシャフトの先端にビス止めされる軸受部と、
前記軸受部に外嵌されるハンドルノブ本体と、
を具備してなり、
前記軸受部の表面に雄ネジ部が設けられ、且つ、前記ハンドルノブ本体の内面に雌ネジ部が設けられてなり、
前記ノブシャフトにビス止めされた前記軸受部の前記雄ネジ部に、前記ハンドルノブ本体の前記雌ネジ部を螺合させることによって、前記ハンドルに取り付けられることを特徴とするハンドルノブ。
【請求項２】
請求項１に記載のハンドルノブにおいて、
魚釣り用リールの使用時に使用者の指が、前記ハンドルノブ本体を通じて前記軸受部の表面に触れ得るように、前記ハンドルノブ本体の側壁に貫通孔が設けられてなるハンドルノブ。
【請求項３】
請求項１又は２に記載のハンドルノブにおいて、
更に、前記ハンドルノブ本体に外嵌されるハンドルノブカバーを具備してなるハンドルノブ。
【請求項４】
請求項１又は２に記載のハンドルノブが取り付けられてなることを特徴とする魚釣り用リール。
【発明の詳細な説明】
【技術分野】
【０００１】
本発明は、魚釣り用リールのハンドルに取り付けられるハンドルノブ、及び、このハンドルノブが取り付けられてなる魚釣り用リールに関する。
【背景技術】
【０００２】
釣り竿（ロッド）に取り付けられる魚釣り用リールは、釣り糸を巻き取るための道具である。前記魚釣り用リールは、その構造の違いによって、片軸受けリール、両軸受けリール、スピニングリール、又は、スピンキャストリールなどに種別されるが、いずれも釣り糸を巻き回すためのスプールに回転運動を与えるためのハンドルが備えられている。
【０００３】
又、図９に示すように、従来の魚釣り用リール１００においては、ハンドル３に設けられたノブシャフト３１にハンドルノブ１０１が取り付けられている。このハンドルノブ１０１は、主に前記ハンドルの操作性を向上するために取り付けられたものであり、前記ノブシャフト３１に外嵌させた状態で、前記ノブシャフト３１の軸芯を中心として回転可能となるように、前記ノブシャフト３１の先端に取付用ネジＳによってビス止めされる。又、前記ハンドルノブ１０１の回転性を向上させるために、前記ノブシャフト３１と前記ハンドルノブ１０１との間にスペーサＷやベアリングＢを介在させることもある。
【０００４】
最近では、このハンドルノブが単体で販売されており、釣人が好みのデザインや対象魚等に応じて適宜組み替えることができるようになっている。
【０００５】
従来の魚釣り用リールでは、ハンドルノブの組み替えを行うにあたり、前記ハンドルノブをノブシャフトにビス止めしているネジをドライバーなどの工具を用いて緩める必要がある。しかしながら、釣り場においてこの組み換え作業を行った場合、誤ってネジを落として紛失することがある。
【０００６】
そのため、ハンドルノブをノブシャフトにビス止めしているネジを緩めることなく、前記ハンドルノブを組み替えることができるハンドルノブも開発されている（例えば、下記特許文献１参照。）。
【先行技術文献】
【特許文献】
【０００７】
【特許文献１】特開２００７‐２２２００５号公報
【発明の概要】
【発明が解決しようとする課題】
【０００８】
前記特許文献１に記載された発明は、ハンドルノブを複数の部位（第１〜第４部位）で着脱可能に分割構成し、いずれか複数の部位を組み替えることでハンドルノブの構成を変更可能としたものである。
【０００９】
即ち、特許文献１に開示されたハンドルノブは、分割構成された部位のうちノブシャフトに対してビス止めされる第１部位（ハンドルノブの根元部分となる部位）に対し、下位の部位（第２〜第４部位）を順次連結させることによって組み立てられる構造となされたものである。
【００１０】
しかしながら、特許文献１に開示されたハンドルノブは、上位の部位に設けられた雌ネジ部に対して下位の部位に設けられた雄ネジ部を螺合させることによってノブシャフトに対してビス止めされる仕組みとなされているため、使用時に各部位の連結部分に過度の負荷が掛からないように、各部位につき傘高い形状とせざるを得ない。そのため許容されるデザインの範囲が狭くなる。
【００１１】
更に、特許文献１に開示されたハンドルノブは、第一部位のみノブシャフトに接触し、その他の部位はノブシャフトから離れた位置となることから、ハンドルに伝わる魚信がハンドルノブを介して使用者の指に伝達され難い。
【００１２】
本発明は、前記技術的課題を解決するために開発されたものであって、組み換え作業を容易にする新規なハンドルノブ、及びこのハンドルノブが取り付けられてなる魚釣り用リールを提供することを目的とする。
【課題を解決するための手段】
【００１３】
前記技術的課題を解決するための本発明のハンドルノブは、魚釣り用リールのハンドルに取り付けられるハンドルノブであって、前記ハンドルに存するノブシャフトに外嵌させた状態で、前記ノブシャフトの軸芯を中心として回転可能となるように、前記ノブシャフトの先端にビス止めされる軸受部と、前記軸受部に外嵌されるハンドルノブ本体と、を具備してなり、前記軸受部の表面に雄ネジ部が設けられ、且つ、前記ハンドルノブ本体の内面に雌ネジ部が設けられてなり、前記ノブシャフトにビス止めされた前記軸受部の前記雄ネジ部に、前記ハンドルノブ本体の前記雌ネジ部を螺合させることによって、前記ハンドルに取り付けられることを特徴とする（以下、「本発明ハンドルノブ」と称する。）。
【００１４】
本発明ハンドルノブにおいては、魚釣り用リールの使用時に使用者の指が、前記ハンドルノブ本体を通じて前記軸受部の表面に触れ得るように、前記ハンドルノブ本体の側壁に貫通孔が設けられてなるものが好ましい態様となる。
【００１５】
本発明ハンドルノブにおいては、更に、前記ハンドルノブ本体に外嵌されるハンドルノブカバーを具備してなるものが好ましい態様となる。
【００１６】
前記技術的課題を解決するための本発明の魚釣り用リールは、前記本発明ハンドルノブが取り付けられてなることを特徴とする（以下、「本発明リール」と称する。）。
【発明の効果】
【００１７】
本発明ハンドルノブは、ドライバー等の工具がなくても容易に組み換え作業を行うことができる。
【図面の簡単な説明】
【００１８】
【図１】図１は、本発明ハンドルノブが取り付けられてなる本発明リールを示す分解斜視図である。
【図２】図２は、軸受部を示す断面図である。
【図３】図３は、ハンドルノブ本体を示す断面図である。
【図４】図４（ａ）は、ノブシャフトに前記軸受け部を取り付けた状態を示す断面図であり、図４（ｂ）は、更に前記ハンドルノブ本体を取り付けた状態を示す断面図である。
【図５】図５は、前記ハンドルノブ本体を別のハンドルノブ本体に取り換える様子を示す斜視図である。
【図６】図６は、別の本発明ハンドルノブが取り付けられてなる本発明リールを示す分解斜視図（ａ）と拡大断面図（ｂ）である。
【図７】図７は、更に別の本発明ハンドルノブが取り付けられてなる本発明リールを示す分解斜視図（ａ）と拡大断面図（ｂ）である。
【図８】図８は、ハンドルノブカバーを別のハンドルノブカバーに取り換える様子を示す斜視図である。
【図９】図９は、従来の魚釣り用リールを示す分解斜視図（ａ）と拡大断面図である。
【発明を実施するための形態】
【００１９】
以下、本発明の実施形態を、図面を参照しながら説明するが、本発明はこれらの実施形態に限定されるものではない。
【００２０】
［実施形態１］
＜本発明リール１＞
図１に、本発明ハンドルノブ１０が取り付けられてなる本発明リール１の分解斜視図を示す。本実施形態において、この本発明リール１の本体２は市販の両軸受けリールを流用したものであり、ハンドル３に存するノブシャフト３１に取り付けられていた純正のハンドルノブを本発明ハンドルノブ１０に交換したものである。なお、中空構造を有する前記ノブシャフト３１の先端側の内面には、取付用ネジＳを螺合させ得るネジ山３１０が刻まれている。
【００２１】
＜本発明ハンドルノブ１０＞
前記本発明ハンドルノブ１０は、軸受部１１と、ハンドルノブ本体１２と、を具備する。
【００２２】
‐軸受部１１‐
図２に示すように、前記軸受部１１は、前記ノブシャフト３１に外嵌させ得る中空構造を有する。本実施形態において、前記軸受部１１は、一端側の内径（Ｄ１）より他端側の内径（Ｄ２）が大きくなるようになされている。そのため、前記軸受部１１の内部中程には段差（以下、「第一段差」と称する。）１１１が生じている。又、一端側の端部開口部にも段差（以下、「第二段差」と称する。）１１２が設けられている。本実施形態においては、前記第一段差１１１に環状の第一ベアリングＢ１が配され、前記第二段差１１２に第二ベアリングＢ２が配される。更に、前記軸受部１１の表面には、雄ネジ部１１０が設けられている。
【００２３】
‐ハンドルノブ本体１２‐
図３に示すように、前記ハンドルノブ本体１２は、前記軸受部１１に外嵌させ得る中空構造を有する。前記ハンドルノブ本体１２の内面には、前記雄ネジ部１１０に螺合し得る雌ネジ部１２０が設けられている。
【００２４】
前記構成を有する本発明ハンドルノブ１０を前記ノブシャフト３１に取り付けるにあたっては、まず、図４（ａ）に示すように、前記軸受部１１を、前記ハンドル３に存するノブシャフト３１に外嵌させた状態で、前記取付用ネジＳを用いて前記ノブシャフト３１の先端にビス止めする。これにより、前記軸受部１１は、前記ノブシャフト３１の軸芯を中心として回転可能となる。
【００２５】
次いで、図４（ｂ）に示すように、前記軸受部１１に前記ハンドルノブ本体１２を外嵌させ、前記軸受部１１の前記雄ネジ部１１０に、前記ハンドルノブ本体１２の前記雌ネジ部１２０を螺合させる。
【００２６】
この作業により、前記本発明ハンドルノブ１０が取り付けられてなる前記本発明リール１が構築される。
【００２７】
前記構成を有する本発明リール１は、好みのデザインや対象魚等に応じ、図５に示すような形状の異なるハンドルノブ本体（１２Ａ、１２Ｂ）を取り換えることによって容易に組み換えることができる。この組み換え作業は、先に取り付けられていたハンドルノブ本体１２の前記軸受部１１に対する螺合を解き、別のハンドルノブ本体１２を前記軸受部１１に螺合させることによって行えるため、前記ノブシャフト３１にビス止めされている前記軸受部１１を取り外す必要はない。
【００２８】
又、前記ハンドルノブ本体１２の形状については、前記軸受部１１に設けられた雄ネジ部１１０に螺合し得る雌ネジ部１２０が設けられてさえいれば、特に限定されるものではない。そのため、デザイン設計の自由度が高く、様々な形状とすることができる。
【００２９】
更に、本発明ハンドルノブ１０は、前記ハンドルノブ本体１２が、前記ノブシャフト３１外嵌させた前記軸受部１１に対し芯鞘構造にて取り付けられているため強度が高く、しかも前記ハンドル３に伝わる魚信が本発明ハンドルノブ１０を介して使用者の指に伝達され易い。これにより、使用者は微細な魚信を感じながら釣りをすることができる。
【００３０】
［実施形態２］
＜本発明リール１＞
図６（ａ）に、本発明ハンドルノブ１０が取り付けられてなる本発明リール１の分解斜視図を示す。前記実施形態１と同様、本発明リール１の本体２は、市販の両軸受けリールを流用したものである。
【００３１】
＜本発明ハンドルノブ１０＞
前記本発明ハンドルノブ１０は、軸受部１１と、ハンドルノブ本体１２と、を具備する。
【００３２】
‐軸受部１１‐
前記軸受部１１は、前記実施形態１において説明したものと同様のものである。
【００３３】
‐ハンドルノブ本体１２‐
前記ハンドルノブ本体１２は、側壁に貫通孔１２１が設けられている以外は、前記実施形態１において説明したものと同様のものである。
【００３４】
前記構成を有する本発明ハンドルノブ１０は、前記実施形態１と同様の作業により、ノブシャフト３１に取り付けられる（図６（ｂ）参照）。この作業により、前記本発明ハンドルノブ１０が取り付けられてなる前記本発明リール１が構築される。
【００３５】
本実施形態に係る本発明ハンドルノブ１０は、本発明リール１の使用時において、使用者の指が、前記ハンドルノブ本体１２に設けられた前記貫通孔１２１を通じて前記軸受部１１の表面に触れることができる仕組みとなされている。
【００３６】
前記軸受部１１は、ハンドル３のノブシャフト３１に外嵌されているため、使用者は、前記ハンドル３に伝わる魚信を、前記軸受部１１を介して感じることができる。これにより、より一層微細な魚信を感じながら釣りをすることができるものとなる。
【００３７】
その余は、前記実施形態１と同様のため、繰り返しの説明を避けるべく、ここでは説明を省略する。
【００３８】
［実施形態３］
図７（ａ）に、本発明ハンドルノブ１０が取り付けられてなる本発明リール１の分解斜視図を示す。前記実施形態１と同様、本発明リール１の本体２は、市販の両軸受けリールを流用したものである。
【００３９】
＜本発明ハンドルノブ１０＞
前記本発明ハンドルノブ１０は、軸受部１１と、ハンドルノブ本体１２と、ハンドルノブカバー１３と、を具備する。
【００４０】
‐軸受部１１‐
前記軸受部１１は、前記実施形態１において説明したものと同様のものである。
【００４１】
‐ハンドルノブ本体１２‐
前記ハンドルノブ本体１２は、全体形状が円筒状となされた以外は、前記実施形態１において説明したものと同様のものである。
【００４２】
‐ハンドルノブカバー１３‐
前記ハンドルノブカバー１３は、中空構造を有する。本実施形態において、前記ハンドルノブカバー１３はウレタン製であり、その内径は、前記ハンドルノブ本体１２の外径とほぼ等しい。
【００４３】
前記構成を有する本発明ハンドルノブ１０を前記ノブシャフト３１に取り付けるにあたっては、まず、前記実施形態１と同様にして、前記軸受部１１と前記ハンドルノブ本体１２を前記ノブシャフト３１に取り付ける（図７（ｂ）参照）。
【００４４】
次いで、前記ハンドルノブ本体１２に前記ハンドルノブカバー１３を外嵌させる。本実施形態において、前記ハンドルノブ本体１２に対する前記ハンドルノブカバー１３の外嵌は、前記ハンドルノブカバー１３に前記ハンドルノブ本体１２を圧入させることによって実行した。
【００４５】
この作業により、前記本発明ハンドルノブ１０が取り付けられてなる前記本発明リール１が構築される。
【００４６】
前記構成を有する本発明リール１は、好みのデザインや対象魚等に応じ、図８に示すような形状の異なるハンドルノブカバー（１３Ａ、１３ｂ）を取り換えることによって組み換えることができる。この組み換え作業は、先に取り付けられていたハンドルノブカバー１３を前記ハンドルノブ本体１２から取り外し、別のハンドルノブカバー（１３Ａ、１３ｂ）を前記ハンドルノブ本体１２に取り付けることによって行うことができる。
【００４７】
その余は、前記実施形態１と同様のため、繰り返しの説明を避けるべく、ここでは説明を省略する。
【００４８】
なお、本発明は、その精神又は主要な特徴から逸脱することなく、他のいろいろな形態で実施することができる。そのため、上述の実施形態はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００４９】
本発明ハンドルノブは、容易に組み替えることができるハンドルノブとして好適に用いられる。
【符号の説明】
【００５０】
１  本発明リール（魚釣り用リール）
２  本体
３  ハンドル
３１  ノブシャフト
１０  本発明ハンドルノブ（ハンドルノブ）
１１  軸受部
１１０  雄ネジ部
１２  ハンドルノブ本体
１２０  雌ネジ部
１２１  貫通孔
１３  ハンドルノブカバー
【図１】
2017195850.tif 000003
【図２】
2017195850.tif 000004
【図３】
2017195850.tif 000005
【図４】
2017195850.tif 000006
【図５】
2017195850.tif 000007
【図６】
2017195850.tif 000008
【図７】
2017195850.tif 000009
【図８】
2017195850.tif 000010
【図９】
2017195850.tif 000011